(57)【要約】【課題】道路の料金所や警備担当施設などに使用される遮断機であって、従来のように自動車の前面まで出ることなく、回転半径を半分とし、遮断機のポールを回動させることで、安全且つ簡易な遮断機を得る。【解決手段】  基軸部２から延びる基礎ポール部３、該基礎ポール部３の端部で回転軸部４につながり、更に該回転軸部４から延出する延長ポール５からなり、その静止状態で、基礎ポール部３と延長ポール部は折畳まれた状態となり、基礎ポール部３を押すことで、延長ポール部も開くように構成されている遮断機を提供する【選択図】図１
2006029007.tif 000002
【特許請求の範囲】
【請求項１】
基軸部２、基礎ポール部３、回転軸部４、及び延長ポール部及び基軸部から延長ポール部へ延びている２つのロープ１０１、１０２を備えている遮断機。
【請求項２】
基軸部２から延びる基礎ポール部３、該基礎ポール部３の端部で回転軸部４につながり、更に該回転軸部４から延出する延長ポール及び基軸部から延長ポール部へ延びている２つのロープを備えており、静止状態で、基礎ポール部３と延長ポール部は折畳まれた状態となり、基礎ポール部３を押すことで、延長ポール部も開くように構成されていることを特徴とする遮断機
【請求項３】
前記基礎ポール部３には、該基礎ポール部３の前部ポールを閉鎖位置へ押し出すか又は開放位置へ戻すツールを設けた請求項１又は２記載の遮断機
【発明の詳細な説明】
【技術分野】
【０００１】
本発明は、遮断機に関し、特に、有料自動車道の料金所や警備の必要な施設等に好適な遮断機の構成に関するものである。
【背景技術】
【０００２】
従来、有料道路の料金所では、レーンを閉鎖するために遮断機が用いられている。自動車が近づくと自動的に検知し遮断機を昇降する形式のものも多いが、地方等や警備関係施設では手動で上下か又は横方向へポールを動かすものも多いのが現状である。
【０００３】
この場合に問題なのは、上下方向へ昇降させる形式のものでは、安全ロックを倒しながらポールを上げるために、大変な力が必要であり、女性では無理の場合が多い。又、横方向へポールを動かすものにおいては、そのポールの全長が長いので走行レーンの車道上を押して、自動車が走行する道路の前面まで押して行かねばならない点である。その為に、自動車の走行に対して常に注意を払いつつ、遮断機の開閉を行わねばならず、危険と隣り合わせとなっている。
【０００４】
しかも、遮断機のポールが長いために、大きくな回転半径となるため、その遮断機の開閉には力と時間を要し、しかも長いポールを末端で支えるための支柱が両側で必要となっている。
【発明の開示】
【発明が解決しようとする課題】
【０００５】
解決しようとする問題点は、遮断機のバーの稼動の動作を該遮断機のバーの手元側において安全且つ簡易に開閉できるようにする点である。
【課題を解決するための手段】
【０００６】
上記課題を解決するために、本発明は、基軸部２、基礎ポール部３、回転軸部４、及び延長ポール部及び基軸部から延長ポール部へ延びている２つのロープ１０１、１０２を備えている遮断機を提供する。
【０００７】
基軸部２から延びる基礎ポール部３、該基礎ポール部３の端部で回転軸部４につながり、更に該回転軸部４から延出する延長ポール及び基軸部から延長ポール部へ延びている２つのロープを備えており、静止状態で、基礎ポール部３と延長ポール部は折畳まれた状態となり、基礎ポール部３を押すことで、延長ポール部も開くように構成されている遮断機を提供する。
【０００８】
前記基礎ポール部３には、該基礎ポール部３の前部ポールを閉鎖を閉鎖位置へ押し出すか又は開放位置へ戻すツールを設けたもので道路のレーン上に操作者が出ていかなくてもポールの開閉が安全に行うことが出来る。
【発明の効果】
【０００９】
本発明の遮断機は、道路のレーンに向かって遮断機のポールを手元で押すことで、安全且つ簡易に操作することができる利点がある。
特に、静止時は折畳まれているので、従来のものの二分の一となり場所も取らず、又回転半径も従来のものに比べて、半分で開くことになるので、自動車の停止位置は半分となり、コンパクト化が達成できた。
【発明を実施するための最良の形態】
【００１０】
本発明の遮断機は、道路の料金所や警備施設等で安全且つ簡易に開閉できる利便あるものを実現した。
【実施例１】
【００１１】
図１は、本発明の遮断機１である１実施例であって、その概観を示しており、道路に対して未だ閉鎖前の非使用時の状況である。図２に示すものは、実際に使用されている状態を示す。
なお、図２に示すものは、該遮断機１は車の進行方向に対して、図左側に置かれているが勿論右側であっても構わない。図２に示す例では、遮断機１が半分から開く状態が明示されている。以下その詳細な構成は以下に順次説明される。
【００１２】
まず、図１に示すように、支持部材６に対して、遮断機１の各主要部が設けられており、基軸部２、基礎ポール部３、回転軸部４、及び延長ポール部５等からなる。
【００１３】
図４、５に示すように、基軸部２には、上から支持部材６に取り付けられる支持板２１０が、２１１が下に設けられている。
該支持板２１０，２１０の間には、基板２００、２００が上下に固定されて設けられており、基礎ポール部３を回転自在に取り付けている。
基礎ポール部３は、前部ポール３１と該前部ポール３１を基板２００、２００に取り付ける取付け部材２３，２３と取付け基部２４からなる。前部ポール３１は、アルミ材や鋼材等が使用できる。
取付け部材２３，２３は、取付け基部２４に適宜な固定手段８によって取り付けられ、又回転子２１が取付け基部２４に回転自在に収納されている。
該回転子２４は、２つの回転を支持するリングからなっているが、一つでも可である。これら基0礎ポール部３は、先の基軸部２へ螺子７などによって回転自在に取り付けられ、取付け部材２３、２３は、支持板２１０，２１０の間に挿入され、螺子７等で孔２３０を通して回転できるように取付けられる。
【００１４】
このような状態で、図４に示すように、ロープ１０１、１０２が取付け基部２４のロープ固定部２４０
の孔から挿入され、回転部材２１を経由して、上下の基板２００、２００へ取り付けられる。ロープ１
０１，１０２は、ワイアや紐状、ピアノ線等が使用できる。
この場合において、下側のロープ１０１は、下側の基板２００へ、上側のロープ１０２は、上側の
基板２００へ取り付けられるが、その取り付け位置は異なっている。
下側のロープ１０１は、取付け位置２１０から回転子２１を経て基礎ポール部３内を通り、取付け
部４３内を通って、回転子４０を経て延長ポール５部へ固定される。
これに対して、ロープ１０２は、基礎ポール３内へ直接向かい、取付け部４３の回転子４１を経て
延長ポール部５に固定される。
【００１５】
基軸部３でのロープの取り付けは、下側のロープ１０１は、図５で見て、左側に、下側のロープ１
０２は、図５で右側に取り付けられる。この取り付け位置は、図３の（１）の静止状態（開かない状
態）で、基板２００、２００の両側にあって、一方のロープ１０１はロープ１０２より長くなっている。こ
れに対して、反対側のロープ１０２はその静止状態では、短くなっている。
【００１６】
更に、回転軸部４の構造は、図６に示されているように、基礎ポール部３側の取付け部材４２、４２を該回転軸部４へ取り付けると共に、延長ポール部５を回転自在に取り付ける取付け基部４５、４５を共に取り付ける。
【００１７】
基礎ポール部３側の取り付けは、取付け部材４２，４２が、取付け部４３へ適宜な固定手段によって固定すると共に、前部ポール４１をロープ固定部４３０によって固定する。勿論、ロープ１０１、１０２は孔４３１を通って挿入される。又、取付け部４３には、回転子４１が設けられており、ロープ１０１、１０２を回動させる。この回転子４１は、螺子９により固定される。
【００１８】
図７に示すように、回転軸部４の延長ポール部５側の取り付けは、取付け部材４５，４５が取付け基部４６へ上下から適宜な手段によって固定される。取付け基部４６には、回転子４０が備えられており、基礎ポール側からくるロープ１０２を掛ける。又、他のロープ１０１は、先の回転子４１へ掛かっている。
この回転子４０は、更に、ロープ１０１、１０２はポール固定部４６０の孔４６１から突出させて、適宜なバネを介してワッシャーによって固定される。
従って、延長ポール部５側は、自由に回動することができるようにされている。
【００１９】
上記のように構成される遮断機１の作動を次に説明すると、図３に概念図が示されている。
図３の（２）に示す状態は静止したところを示す。次に、矢印A方向へ基礎ポール部３を押すと、図で見て反時計方向へ回動するが、それにつれて延長ポール部５は、今度は、基礎ポール部３を押すだけで時計方向へ矢印B方向へ回動し始める。そして、図でみて９０度でレーンを閉鎖することになる。
【００２０】
ここで、延長ポール部５が回動する理由は、その内部にあるロープ１０１と１０２は、その取り付け位置が、固定された基板２００、２００の対照的な位置に固定されていて、一方のロープは回転すると、回転子２１は移動により引っ張られ他方は緩められるように固定されていることに起因している。
なお、この図３では、分かり易いように、２つのロープは２次元的に表されているが、勿論この状態でも作動は可能である（実施例ではロープは縦に配置されている）。
【００２１】
基礎ポール部３が回動し始めると、２つのロープ１０１と１０２は、回転子２１が基礎ポール３の回動につれて、支持板２１０に固定されているので、ロープ１０１を押して引っ張ることになり、矢印a方向へロープ１０１をうごかし延長ポール部５を回転させることになる。一方、他のロープ１０２は、逆にロープを緩められるので、矢印b方向へ動くことになり、これも延長ポール５を回動させることになる。即ち、２つのロープは、一方が回動するにつれて、引っ張られ、他方は緩むことで延長ポールを回動させることができるのである。
【００２２】
従って、本発明においては、その２つ折りした基礎ポール部３だけを押すだけで、先端の延長ポール部５をも自動的に回動させることが可能になるので、道路のレーンまでせり出して行く必要はなく手元に於ける押動だけで事足りることになる。
また、遮断機を開けるときも、同様に基礎ポール３を逆に手元側に引き寄せれば折畳まれてレーンは開放されることになる。
【００２３】
又、図８に示すように、基礎ポール部３にレーン閉鎖時に前部ポールを押すか又は戻すためのツール８を設けることも出来る。このツール８は、この実施例では、円弧状になっており操作者は、これを押すか引っ張るだけで開閉動作が可能となるので、道路のレーンに出て行かなくとも、基軸部２のところで安全に操作することができる。また、この例では、手動としたが、根元部分において、油圧や電動による押圧機構を設けることも可能である。
その構造は種々のものが考えられるが、単に直線状や曲線形状でも可である。しかし、円弧状の場合、その前部ポールが円運動をするので、その運動に追随することができるので、スムースな操作が期待できることになる。
【００２４】
以上本発明は、上記実施例に限定されることなく、当業者にとって種々の変形が本発明の本質を離れることなく可能であることは勿論であり、そのような変形例は本発明の技術的な範囲に含まれるものである。
【図面の簡単な説明】
【００２５】
【図１】本発明の一実施例である遮断機の全体を示した説明図である。
【図２】上記遮断機の使用状態を示した説明図である。
【図３】同遮断機の概念図を示し、その作動の状況を説明する図を示す。
【図４】同遮断機の基軸部の拡大図を示す。
【図５】同遮断機の基軸部の分解図を示す
【図６】同遮断機の回転軸部を示す
【図７】同遮断機の回転軸部の分解図を示す
【図８】同遮断機を回動させるツールを設けた図を示す
【符号の説明】
【００２６】
１    遮断機ト
２    基軸部
３    基礎ポール部
４    回転軸部
５  延長ポール部
６    支持部
【図１】
2006029007.tif 000003
【図２】
2006029007.tif 000004
【図３】
2006029007.tif 000005
【図４】
2006029007.tif 000006
【図５】
2006029007.tif 000007
【図６】
2006029007.tif 000008
【図７】
2006029007.tif 000009
【図８】
2006029007.tif 000010